(57)【要約】【課題】従来の縦型掃除機の場合、ハンドル体と床ノズルとの間に集塵室、電動送風機、二次電池の全てが収容されているため、質量が大きく、床面の清掃時や棚、壁等の高所の清掃時に床ノズルを動かす、あるいは床ノズルを持ち上げるために大きな操作力を必要とした。また従来の床移動型掃除機の場合、集塵室の体積の大きいため、本体が大きく重くなり、ハンドル体を持って可撓性ホースと本体を引き寄せるときに大きな力が必要となり、また本体が障害物に衝突する、あるいは引っ掛かるという課題を有していた。【解決手段】電動送風機２２を内蔵する本体２１以外の箇所に集塵室２８を設ける構成の電気掃除機とした。これにより、本体２１から最も大きな集塵室２８の体積が取り除かれ、小さな操作力で本体２１を引き寄せ、あるいは持ち上げることができるようになる。【選択図】  図１
2005034214.tif 000002
【特許請求の範囲】
【請求項１】
掃除機の本体と、前記本体に内蔵した電動送風機と、前記本体に連結した可撓性ホースと、前記可撓性ホースに連通した延長管と、前記延長管に接続された床用吸込具と、塵埃を収集する集塵室とを備え、前記集塵室を前記本体以外の箇所に設けた電気掃除機。
【請求項２】
本体に、主電源である電池を内蔵した請求項１記載の電気掃除機。
【請求項３】
集塵室の近傍に、主電源である電池を内蔵した請求項１記載の電気掃除機。
【請求項４】
電動送風機と電池が、本体の前後方向に対して直列に配された請求項２記載の電気掃除機。
【請求項５】
本体外に、別体として主電源である電池を内蔵した電池ユニットを設けた請求項１記載の電気掃除機。
【請求項６】
集塵室を床用吸込具と一体とした請求項１から５のいずれか１項に記載の電気掃除機。
【請求項７】
集塵室を延長管と一体とした請求項１から５のいずれか１項に記載の電気掃除機。
【請求項８】
集塵室を可撓性ホースと一体とした請求項１から５のいずれか１項に記載の電気掃除機。
【請求項９】
集塵室を可撓性ホースの管路途中に設けた請求項１から５のいずれか１項に記載の電気掃除機。
【請求項１０】
延長管または可撓性ホースは伸縮機構を有し、前記伸縮機構と連動した集塵室内の塵埃圧縮機構を備えた請求項７から９のいずれか１項に記載の電気掃除機。
【請求項１１】
本体を延長管に装着可能とし、前記本体を前記延長管に装着した際に、前記本体が前記延長管を支持する支持体となる請求項１から１０のいずれか１項に記載の電気掃除機。
【発明の詳細な説明】
【０００１】
【発明の属する技術分野】
本発明は、一般家庭等で使用される電気掃除機に関するものである。
【０００２】
【従来の技術】
従来の充電式電気掃除機は、縦型の掃除機では床ノズル直後に連通した掃除機本体内に集塵室、電動送風機、二次電池を収容している（例えば、特許文献１参照）。
【０００３】
また床移動形の掃除機では床ノズルと連通した延長管にハンドル体が設けられ、掃除機本体内に集塵室、電動送風機、二次電池を収容し、延長管と掃除機本体とを可撓性のホースで連通している（例えば、特許文献２参照）。
【０００４】
図８は前記特許文献１に記載された従来の電気掃除機を示すものである。図８において、１は掃除機本体、２は床ノズル（床用吸込具）、３はハンドル体、４は集塵室、５は電動送風機、６は二次電池である。
【０００５】
図９は前記特許文献２に記載された従来の電気掃除機を示すものである。図９において、１〜６までは図９の説明と同様であり、７は延長管、８は可撓性ホースである。
【０００６】
【特許文献１】
特開２００１−８７１８０号公報（第１図）
【特許文献２】
特開２００２−１２５９００号公報（第１図）
【０００７】
【発明が解決しようとする課題】
しかしながら、前記従来の構成では、縦型掃除機の場合、ハンドル体と床ノズルとの間に集塵室、電動送風機、二次電池の全てが収容されているため、質量と体積が大きく、床面の清掃時や棚、壁等の高所の清掃時に床ノズルを動かしたり、床ノズルを持ち上げるために持ちにくく大きな操作力が必要であるという課題を有していた。
【０００８】
また床移動型掃除機の場合、集塵室の体積の大きいため、本体が大きく重くなり、ハンドル体を持って可撓性ホースと本体を引き寄せるときに大きな力が必要であり、さらに本体が障害物に衝突したり引っ掛かったりするという課題を有していた。
【０００９】
本発明は前記従来の技術を解決するもので、本体質量を軽減し、操作性を向上した電気掃除機を提供することを目的とする。
【００１０】
【課題を解決するための手段】
前記従来の課題を解決するために、本発明の電気掃除機は、電動送風機を内蔵する本体以外の箇所に集塵室を設けたものである。これによって本体から最も大きな集塵室の体積が取り除かれ、小さな操作力でも本体を引き寄せたり、持ち上げることができ、さらに本体が小さくなるので頻繁に障害物に衝突したり引っ掛かったりすることもなくなる。
【００１１】
【発明の実施の形態】
請求項１に記載した発明は、掃除機の本体と、前記本体に内蔵した電動送風機と、前記本体に連結した可撓性ホースと、前記可撓性ホースに連通した延長管と、前記延長管に接続された床用吸込具と、塵埃を収集する集塵室とを備え、前記集塵室は、前記本体以外の箇所に設けることにより、本体から最も大きな集塵室の体積が取り除かれ、小さな操作力でも本体を引き寄せたり、持ち上げることができ、さらに本体が小さくなるので頻繁に障害物に衝突したり引っ掛かったりすることがない。
【００１２】
請求項２に記載した発明は、特に、請求項１に記載の本体に、主電源である電池を内蔵したので、ハンドル体から床用吸込具までの質量と体積が小さく、自由に床ノズルを動かすことができる。
【００１３】
請求項３に記載した発明は、特に、請求項１に記載の集塵室の近傍に、主電源である電池を内蔵することにより、本体の質量と体積が小さく、小さな操作力でも本体を引き寄せたり、持ち上げることができる。
【００１４】
請求項４に記載した発明は、特に、請求項２に記載の電動送風機と電池を、本体の前後方向に対して直列に配することにより、本体を細長い形態とすることができる。
【００１５】
請求項５に記載した発明は、特に、請求項１に記載の本体外に、別体として主電源である電池を内蔵した電池ユニットを設けることにより、本体が障害物に引っ掛かりにくく、小さな操作力でも本体を引き寄せることができる。
【００１６】
請求項６に記載した発明は、特に、請求項１から５のいずれか１項に記載の集塵室が、床用吸込具と一体であることにより、ハンドル体に加わる質量を小さくでき、かつ延長管、可撓性ホースの内部を塵埃が通過することないので汚れることがない。
【００１７】
請求項７に記載した発明は、特に、請求項１から５のいずれか１項に記載の集塵室が、延長管と一体であることにより、掃除機全体としての体積を増すことなく、容易に床用吸込具を持ち上げることができ、かつ可撓性ホースの内部を塵埃が通過することないので汚れることがない。
【００１８】
請求項８に記載した発明は、特に、請求項１から５のいずれか１項に記載の集塵室が、可撓性ホースと一体であることにより、掃除機全体としての体積を増すことなく、容易に床用吸込具と延長管を持ち上げることができる。
【００１９】
請求項９に記載した発明は、特に、請求項１から５のいずれか１項に記載の集塵室が、可撓性ホースの管路途中に設けられていることにより、掃除機全体としての体積をほとんど増すことなく、容易に床用吸込具と延長管を持ち上げることができ、かつ塵埃をまとめ易く排出が容易である。
【００２０】
請求項１０に記載した発明は、特に、請求項７から９のいずれか１項に記載の延長管または可撓性ホースは、伸縮機構を有し、前記伸縮機構と連動した集塵室内の塵埃圧縮機構を備えることにより、容易に塵埃を圧縮して少ない体積の状態で集塵室内に保持でき、さらにこの状態で排出することができる。
【００２１】
請求項１１に記載した発明は、特に、請求項１から１０のいずれか１項に記載の本体を、延長管に装着可能とし、前記本体を前記延長管に装着した際に、前記本体が前記延長管を支持する支持体となる構成としたことにより、運搬や収納が容易にでき、かつ別途支持体を必要とせず、本体を軽量にでき、さらに清掃の中断と再開を容易にし、加えて収納時の安定性を増すことができる。
【００２２】
【実施例】
以下、本発明の実施例について図面を参照しながら説明する。
【００２３】
（実施例１）
図１は、本発明の第１の実施例である電気掃除機の使用時状態を示す側断面図であり、図２は、電気掃除機の収納時状態を示す側断面図である。本実施例において、２１は電気掃除機の本体（以下、単に本体と称す）、２２は本体２１に内蔵した電動送風機で、とくにこの電動送風機２２には、径小かつ軽量で清掃開始時に最も効率よく動作する斜流型や軸流型のファンを搭載しており、従来の遠心型に比べて高比速度のファンである。もちろん高い真空度を発生させて塵埃を蓄積したときに効果を発揮する遠心型の電動送風機であっても構わない。２３は本体２１に内蔵するニッケル水素の二次電池で、本体２１の前後方向に対して、電動送風機２２の後方（排気方向側）に配している。もちろん一次電池やニカドまたはリチウムイオンの二次電池を使用しても構わない。
【００２４】
本体２１外郭には充電用の端子（図示せず）を有している。なお長い清掃作業時間を確保したり、吸込み力を強化するために、二次電池２３の代わりに交流電源から電力を供給するためのコード及びコードリールを配しても構わない。また本体の使い勝手と清掃作業時間及び吸込み力を両立させるために、二次電池を内蔵し、かつコードを有する構成でも構わない。本体２１の全周または少なくとも底面には起毛布（低摩擦摺動体）２４を配している。これはテフロン（Ｒ）シートなどの低摩擦材や複数の小型ローラを用いても構わない。
【００２５】
２５は内部に回転ブラシ２６を配した床ノズル（床用吸込具）であり、回動自在に延長管２７へと接続されている。延長管２７の大部分は塵埃を蓄積する集塵室２８となっており、この延長管２７はスライドする伸縮機構を有し、内部に塵埃の通過を阻止するフィルタ２９を設けてある。また集塵室２８の入口部には塵埃の逆流を防ぐための逆支弁（図示せず）を設けている。３０は延長管上端に設けたハンドル体で、この近傍に操作スイッチ３１を配している。３２は延長管２７と本体２１を結ぶ可撓性ホースである。なお図２に示すように、収納時には本体２１は接続フック（図示せず）により、延長管２７へと装着可能な構成としている。
【００２６】
以下、本実施例の動作について説明する。図１に示す状態では、ハンドル体３０を持ち床ノズル２５を清掃面に置き、操作スイッチ３１で電源を入れると電動送風機２２が動作し吸引力が発生する。続いて回転ブラシ２６が回転し、清掃面の塵埃を掻き揚げる。発生した吸引力によって周囲の空気が吸込まれ、清掃面の塵埃が床ノズル２５内へと吸込まれる。吸込まれた塵埃は延長管２７内の集塵室２８へと搬送され、ここで集塵される。このとき塵埃アはフィルタ２９によって集塵室２８内に蓄積され、空気だけが残りの延長管２７→可撓性ホース３２→電動送風機２２と通過し、本体２１の外へ排出される。また電動送風機２２を始め、本体２１や床ノズル２５で消費する電力は本体２１内の二次電池２３から供給される。
【００２７】
また図２に示す状態では、延長管２７を縮めると同時に蓄積した塵埃アを圧縮している。この縮めた延長管２７に本体２１を装着している。このとき本体２１は延長管２７後方より支持する形態となるため、延長管２７が立ったままの姿勢で固定することができ、このままハンドル体３０を持って運搬したり、収納することができる。さらにハンドル体３０が傾斜をもって立つことも可能で、清掃作業の中断、再開がスムーズに行える。もちろん延長管２７を垂直に立たせることで接地時の安定性を向上させることもできる。
【００２８】
塵埃アを排出する際には、床ノズル２５を延長管から取り外してから行う。また塵埃アの蓄積された集塵室２８の一部を取り外して行っても構わない。
【００２９】
このようにして本実施例の電気掃除機を使用することによって、本体２１から最も大きな集塵室２８の体積が取り除かれ、小さな操作力でも本体２１を引き寄せたり、持ち上げることができ、さらに本体２１が小さくなるので頻繁に障害物に衝突したり引っ掛かったりすることがない。
【００３０】
また本体２１に主電源である二次電池２３を内蔵したので、ハンドル体３０から床ノズル２５までの質量と体積が小さく、自由に床ノズル２５を動かすことができる。また搭載する二次電池２３の質量を調整し、本体２１の質量と延長管２７から床ノズル２５までの質量をほぼ等しく構成することが可能で、これにより運搬時に左右の手でそれぞれ本体２１、ハンドル体３０（または延長管２７）を持ち、質量が片手に集中することなく容易に持ち運ぶことができる。
【００３１】
また電動送風機２２と二次電池２３が本体２１の前後方向に対して直列に配することにより、径小である斜流型または軸流型ファンとの組み合わせで、本体２１を極めて細長い形態とすることができるので、頻繁に障害物に衝突したり引っ掛かったりすることがない。さらに電動送風機２２からの排気風が効率よく二次電池２３に吹き付けられるので、効率よく二次電池２３を冷却することが可能で、これによって二次電池２３の損傷、破損を防ぐことができる。
【００３２】
また集塵室２８が延長管２７と一体であることにより、掃除機全体としての体積を増すことなく、容易に床ノズル２５を持ち上げることができ、かつ可撓性ホース３２の内部を塵埃が通過することないので汚れることがなく、掃除機内を清潔に保つことができる。
【００３３】
また延長管２７は伸縮機構を有し、この伸縮機構と連動した集塵室２８内の塵埃圧縮機構を有することにより、容易に塵埃を圧縮して少ない体積の状態で集塵室２８内に保持できる。さらに塵埃を圧縮した状態で排出するので、少ない埃の舞い上がりで蓄積した塵埃を捨てることができる。
【００３４】
また本体２１が延長管２７に装着可能であり、さらに装着時に本体２１が延長管２７を支持する支持体となる構成であることにより、運搬や収納が容易にでき、かつ延長管２７自体に別途支持体を必要としないため軽量にでき、さらに清掃の中断と再開を容易にし、加えて収納時の安定性を増すことができる。
【００３５】
また本体２１に起毛布（低摩擦摺動体）２４を有することにより、本体２１を小さな力で従動させることができる。このとき本体２１前方に集中して起毛布２４を配することで、机などの障害物に衝突した際に対象物を傷付けず、さらに摺動しながら容易に回避することができる。
【００３６】
（実施例２）
図３は、本発明の第２の実施例である電気掃除機の側断面図である。なお二次電池２３以外の構成は実施例１と同様であるので、その詳細説明を省略するものである。本実施例の二次電池２３は、延長管２７内の集塵室２８近傍に設けている。これによって本体２１の質量と体積は、ほぼ電動送風機２２に依存する構成となるため極めて軽く小さくなり、起毛布２４にかかる摩擦抵抗も小さく、ハンドル体３０を持ち、小さな操作力で本体２１を引き寄せたり、持ち上げることができるため、高い操作性を保つことができる。
【００３７】
（実施例３）
図４は、本発明の第３の実施例である電気掃除機の側断面図である。なお二次電池２３周辺以外の構成は実施例１と同様であるので、その詳細説明を省略するものである。本実施例の二次電池２３は、本体２１外に別体として設けた電池ユニット４１内に設けており、電動送風機２２のみを内蔵した本体２１と電池ユニット４１は連結コード４２にて接続されている。また接続端子部４３にて着脱が可能である。さらに起毛布２４は本体２１と電池ユニット４１のそれぞれに配している。これによって本体２１及び電池ユニット４１が狭い隙間や角などの障害物に引っ掛かりにくく、小さな操作力でも本体２１及び電池ユニット４１を引き寄せることができる。
【００３８】
（実施例４）
図５は、本発明の第４の実施例である電気掃除機の側断面図である。なお集塵室２８周辺以外の構成は実施例１と同様であるので、その詳細説明を省略するものである。本実施例の集塵室２８は、床ノズル２５と一体であり、床ノズル２６の後方に集塵室２８を配している。さらに集塵室２８と延長管２７の間にフィルタ２９を設けており、ここに塵埃アが集塵される。これによって清掃時にハンドル体３０に加わる質量を小さくでき、かつ延長管２７、可撓性ホース３２の内部を塵埃が通過することないので汚れることがないので、操作性を向上し、かつ清潔な電気掃除機としている。
【００３９】
（実施例５）
図６は、本発明の第５の実施例である電気掃除機の側断面図である。なお集塵室２８周辺以外の構成は実施例１と同様であるので、その詳細説明を省略するものである。本実施例の集塵室２８は、可撓性ホース３２と一体であり、集塵室２８と本体２１との間にフィルタ２９を設けており、ここに塵埃アが集塵される。これによって掃除機全体としての体積を増すことなく、容易にハンドル体３０を持って床ノズル２５と延長管２７を持ち上げることができる。
【００４０】
（実施例６）
図７は、本発明の第６の実施例である電気掃除機の側断面図である。なお集塵室２８周辺以外の構成は実施例１と同様であるので、その詳細説明を省略するものである。本実施例の集塵室２８は、可撓性ホース３２の管路途中に設けられている。集塵室２８と可撓性ホース３２との間にフィルタ２９を設けており、ここに塵埃アが集塵される。これによって掃除機全体としての体積をほとんど増すことなく、容易にハンドル体３０を持って床ノズル２５と延長管２７を持ち上げることができ、かつ集塵室２８が独立しているので、集塵室２８を可撓性ホース３２から容易に取り外して、塵埃をまとめて捨てることができる。
【００４１】
【発明の効果】
以上のように、請求項１から１１に記載の本発明によれば、本体から最も大きな集塵室の体積が取り除かれ、電気掃除機の操作性を向上できるものである。
【図面の簡単な説明】
【図１】本発明の第１の実施例である電気掃除機の使用時状態を示す側断面図
【図２】同、電気掃除機の収納時状態を示す側断面図
【図３】本発明の第２の実施例である電気掃除機の側断面図
【図４】本発明の第３の実施例である電気掃除機の側断面図
【図５】本発明の第４の実施例である電気掃除機の側断面図
【図６】本発明の第５の実施例である電気掃除機の側断面図
【図７】本発明の第６の実施例である電気掃除機の側断面図
【図８】従来の縦型の電気掃除機の側断面図
【図９】従来の床移動型の電気掃除機の側断面図
【符号の説明】
２１  本体
２２  電動送風機
２３  二次電池
２４  起毛布（低摩擦摺動体）
２５  床ノズル（床用吸込具）
２７  延長管
２８  集塵室
３２  可撓性ホース
４１  電池ユニット
【図１】
2005034214.tif 000003
【図２】
2005034214.tif 000004
【図３】
2005034214.tif 000005
【図４】
2005034214.tif 000006
【図５】
2005034214.tif 000007
【図６】
2005034214.tif 000008
【図７】
2005034214.tif 000009
【図８】
2005034214.tif 000010
【図９】
2005034214.tif 000011